(57)【特許請求の範囲】
【請求項１】
鍋を加熱する加熱手段と、前記加熱手段を制御する加熱制御手段と、鍋の温度を検知する温度検知手段と、調理モードを設定する調理モード設定手段と、電源をＯＮ／ＯＦＦする電源スイッチと、手動により火力調節を行う火力調節レバーを有し、前記加熱制御手段は、電動駆動手段と、前記電動駆動手段及び前記火力調節レバーにより駆動されて火力調節を行う流量調節手段と、前記加熱手段の燃焼検知を行う熱電対と、ガスの遮断を行う安全弁と、前記熱電対の熱起電力の状態から燃焼の有無を判別し、前記安全弁に電流を供給すると共に前記火力調節レバーに連係させた状態の前記電動駆動手段を作動させる制御回路とを備え、また前記加熱制御手段は、前記調理モード設定手段にて予め設定された調理モードに対応して、前記温度検知手段からの出力と当該制御温度との相関で前記電動駆動手段を動作させ、かつ前記電源スイッチにて電源をＯＮし、器具を動作中に前記調理モード設定手段の複数のキーを特定操作した場合、もしくは、前記調理モード設定手段の複数の特定キーを押した状態で、前記電源スイッチにて電源をＯＮすると、前記調理モード設定手段にて予め設定された調理モードと異なった特定動作を行う構成としたガス調理器。
【請求項２】
鍋を加熱する加熱手段と、前記加熱手段を制御する加熱制御手段と、鍋の温度を検知する温度検知手段と、調理モードを設定する調理モード設定手段と、制御回路に電源を供給する乾電池と、電源をＯＮ／ＯＦＦする電源スイッチと、手動により火力調節を行う火力調節レバーを有し、前記加熱制御手段は、電動駆動手段と、前記電動駆動手段及び前記火力調節レバーにより駆動されて火力調節を行う流量調節手段と、前記火力調節レバーに連係させた状態の前記電動駆動手段を作動させる制御回路と、前記加熱手段の燃焼検知を行う熱電対と、ガスの遮断を行う安全弁と、前記熱電対の熱起電力の状態から燃焼の有無を判別し、前記安全弁に電流を供給する制御回路と、前記制御回路に設けた乾電池の電圧を計測する電圧検知部とを備え、前記加熱制御手段は、前記調理モード設定手段にて予め設定された調理モードに対応して、前記温度検知手段からの出力と当該制御温度との相関で前記電動駆動手段を作動させ、かつ前記電圧検知部の測定電圧が、前記乾電池の電圧範囲から逸脱して高い電圧と判定した場合、前記調理モード設定手段にて予め設定された調理モードと異なった特定動作を行う構成としたガス調理器。
【請求項３】
特定動作は定期的に火力調節レバーが強弱の往復運動を繰り返す、また指定位置に一度のみ移動する動作とした請求項１または２記載のガス調理器。
【請求項４】
特定動作は燃焼を継続させるため、熱電対の熱起電力の状態から燃焼の有無を判別し、安全弁に電流を供給する制御回路を作動させ、火力調節レバーを電動駆動手段で強位置と弱位置の間の繰り返し往復動作を行う動作とした請求項１または２記載のガス調理器。
【請求項５】
特定動作は非燃焼で制御回路を作動させる目的で、熱電対の熱起電力の状態から燃焼の有無を判別し、安全弁に電流を供給する制御回路を一時的に機能停止させ、火力調節レバーを電動駆動手段で強位置と弱位置の間の繰り返し往復動作を行う動作とした請求項１または２記載のガス調理器。
【請求項６】
特定動作は火力調節レバーを前記電動駆動手段で強位置と弱位置の中間位置の移動を１回のみ行う動作とした請求項２項記載のガス調理器。
【発明の詳細な説明】
【０００１】
【発明の属する技術分野】
本発明はガス調理器の加熱制御に関するものである。
【０００２】
【従来の技術】
従来この種の器具は特開平３−２３６５１８号公報に示す様なものが一般的であった。この器具は図１３に示されている様にコンロバーナ１６に鍋底温度センサー１７を搭載し、「天ぷら」を設定した場合、油の温度調節をする様に構成されており、図１４の制御回路の作動により鍋底温度が設定温度より高くなると図１４のガスの制御経路の電磁弁１８が閉じ、バイパスノズル１９の最小流量となって弱燃焼となり、また、鍋底温度が設定温度より低下すると、前記電磁弁１８が開成し、強燃焼となる様になっている。
【０００３】
【発明が解決しようとする課題】
従来の電磁弁による加熱制御方式では、ＨＩ−ＬＯＷ制御なので、弱燃焼から瞬時に強燃焼に移行し、急激に炎が大きくなり、急激な炎の変化を意識的に使用者に喚起していないので、使用者に不安を与える恐れがあった。
【０００４】
【課題を解決するための手段】
本発明は上記課題を解決するために、少なくとも弱燃焼から強燃焼に移行させる場合、流量制御機構を電動駆動とし、電動駆動装置の流量の変化速度を低速にし、もしくは、等速でも徐々に炎を変化させ、炎の急激な増加を抑える配慮をし、また、所定のキー入力操作をする事により、任意の特定動作を行う事ができる様にし、使用者に適切な説明をする事ができる。
【０００５】
【発明の実施の形態】
本発明は各請求項に記載の構成によって実現することができる。すなわち請求項１に記載の発明は、鍋を加熱する加熱手段と、前記加熱手段を制御する加熱制御手段と、鍋の温度を検知する温度検知手段と、調理モードを設定する調理モード設定手段と、電源をＯＮ／ＯＦＦする電源スイッチと、手動により火力調節を行う火力調節レバーを有し、前記加熱制御手段は、電動駆動手段と、前記電動駆動手段及び前記火力調節レバーにより駆動されて火力調節を行う流量調節手段と、前記加熱手段の燃焼検知を行う熱電対と、ガスの遮断を行う安全弁と、前記熱電対の熱起電力の状態から燃焼の有無を判別し、前記安全弁に電流を供給すると共に前記火力調節レバーに連係させた状態の前記電動駆動手段を作動させる制御回路とを備えているから、前記火力調節レバーを前記電動駆動手段で駆動させ、従来の電磁弁による火力制御では考えられなかった、急激な炎の変化がなく高齢者であっても安心して器具を使用できる。
【０００６】
しかし本発明は一見普通のコンロと変わらず、使用者に説明が必要となるが、適切に説明ができないことがある。そこで本発明は一般の使用状態とは別途、説明用の器具動作を行うため、加熱制御手段は、調理モード設定手段にて予め設定された調理モードに対応して、温度検知手段からの出力と当該制御温度との相関で電動駆動手段を作動させ、かつ電源スイッチにて電源をＯＮし、器具を動作中に前記調理モード設定手段の複数のキーを特定操作した場合、もしくは、前記調理モード設定手段の複数の特定キーを押した状態で、前記電源スイッチにて電源をＯＮすると、前記調理モード設定手段にて予め設定された調理モードと異なった特定動作、すなわち請求項３に示すように定期的に前記火力調節レバーが強弱の往復運動を繰り返す、また指定位置に一度のみ移動する等を行う構成としたから、説明動作を調理モードで選択可能とし、説明場所に応じて説明動作を変化させ、使用者に炎の変化する状態を確認、理解してもらうことができる。
【０００７】
また請求項４に示すように特定動作は燃焼を継続させるため、熱電対の熱起電力の状態から燃焼の有無を判別し、安全弁に電流を供給する制御回路を作動させ、火力調節レバーを電動駆動手段で強位置と弱位置の間繰り返しの往復動作を行う（以下特定動作１という）構成としたものであり、実際に燃焼させながら、炎の変化を確認できる。この場合実際に燃焼させることから少なくとも、生ガス防止用の種火安全装置は作動させて、説明時であっても、安全を確保する配慮を行った。
【０００８】
さらに請求項５に示すように特定動作は非燃焼で制御回路を作動させる目的で、熱電対の熱起電力の状態から燃焼の有無を判別し、安全弁に電流を供給する制御回路を一時的に機能停止させ、火力調節レバーを電動駆動手段で強位置と弱位置の間繰り返しの往復動作を行う（以下特定動作２という）構成としたものであり、ガスが使用できない説明場所においても、前記火力調節レバーが、前記電動駆動手段により自動的に可動する事により、説明が可能となる。なお、可動させた場合、燃焼させないことから、種火安全装置を一時的に停止させ、説明動作を長くできる配慮をした。
【０００９】
一方、請求項２に記載の発明は、鍋を加熱する加熱手段と、前記加熱手段を制御する加熱制御手段と、鍋の温度を検知する温度検知手段と、調理モードを設定する調理モード設定手段と、制御回路に電源を供給する乾電池と、手動により火力調節を行う火力調節レバーを有し、前記加熱制御手段は、電動駆動手段と、前記電動駆動手段及び前記火力調節レバーにより駆動されて火力調節を行う流量調節手段と、前記加熱手段の燃焼検知を行う熱電対と、ガスの遮断を行う安全弁と、前記熱電対の熱起電力の状態から燃焼の有無を判別し、前記安全弁に電流を供給すると共に前記火力調節レバーに連係させた状態の前記電動駆動手段を作動させる制御回路と、前記制御回路に設けた前記乾電池の電圧を計測する電圧検知部とを備えたから、前記火力調節レバーを前記電動駆動手段で駆動させ、従来の電磁弁による火力制御では考えられなかった、急激な炎の変化がなく高齢者であっても安心して器具を使用できる。
【００１０】
しかし本発明は一見普通のコンロと変わらず、使用者に説明が必要となるが、適切に説明ができないことがある。そこで本発明は、前記加熱制御手段は、前記調理モード設定手段にて予め設定された調理モードに対応して、前記温度検知手段からの出力と当該制御温度との相関で前記電動駆動手段を動作させ、かつ前記電圧検知部の測定電圧が、前記乾電池の電圧範囲から逸脱して高い電圧と判定した場合、前記調理モード設定手段にて予め設定された調理モードと異なった特定動作、すなわち請求項３に示すように定期的に前記火力調節レバーが強弱の往復運動を繰り返す、また指定位置に一度のみ移動する等を行う構成としたものであり、前記乾電池収納部の電極両端に、電池電圧より高い電圧を印可させることにより、説明モードとさせることができ、使用者に容易に理解してもらえる。また説明モードも説明場所の状態により調理モード設定手段により選択できる。
【００１１】
また特定動作は請求項４に示すように燃焼を継続させるため、熱電対の熱起電力の状態から燃焼の有無を判別し、安全弁に電流を供給する制御回路を作動させ、火力調節レバーを電動駆動手段で強位置と弱位置の間繰り返しの往復動作を行わす（特定動作１）を行う構成としたものであり、前記乾電池の収納部の電極両端に、電池電圧より高い電圧を印可させることにより、説明モードとさせることができる。また説明モードも説明場所の状態により前記調理モード設定手段により選択でき、燃焼可能場所での説明用として、実際に燃焼させながら、炎の変化を確認できる。この場合実際に燃焼させることから少なくとも、生ガス防止用の種火安全装置は作動させて、説明時であっても、安全を確保する配慮を行った。
【００１２】
さらに特定動作は請求項５に示すように非燃焼で制御回路を作動させる目的で、熱電対の熱起電力の状態から燃焼の有無を判別し、安全弁に電流を供給する制御回路を一時的に機能停止させ、火力調節レバーを電動駆動手段で強位置と弱位置の間繰り返しの往復動作を行わす（特定動作２）を行う構成としたものであり、前記乾電池の収納部の電極両端に、電池電圧より高い電圧を印可させることにより、説明モードとさせることができる。また説明モードも説明場所の状態により前記調理モード設定手段により選択でき、ガスが使用できない説明場所においても、前記火力調節レバーが、前記電動駆動手段により自動的に可動する事により説明が可能となる。なお、可動させた場合、燃焼させないことから、種火安全装置を一時的に停止させ、説明動作を長くできる配慮をした。
【００１３】
さらに特定動作は請求項６に示すように火力調節レバーを電動駆動手段で強位置と弱位置の中間位置の移動を１回のみ行う（以下特定動作３という）を行う構成としたものであり、製造工程で、無人で、前記電動駆動手段が正常動作しているかの確認が容易にでき、また、中間位置の流量を測定することにより、前記電動駆動手段の位置精度を判別できる作用を有する。
【００１４】
【実施例】
以下本発明の実施例について、図面を参照しながら説明する。
【００１５】
図１は請求項１、請求項２、請求項４、請求項５の一実施例のガス調理器のマイコン処理の構成を示すブロック図である。図１において、１は鍋を加熱する加熱手段、２は前記加熱手段１を制御する加熱制御手段、３は鍋の温度を検知する温度検知手段、４は調理モードを設定する調理モード設定手段、６は電源５をＯＮ／ＯＦＦする電源スイッチ、７は手動により火力調節を行う火力調節レバー７である。前記加熱制御手段２は、電動駆動手段８と、前記電動駆動手段８及び前記火力調節レバー７により駆動されて火力調節を行う流量調節手段９と、前記加熱手段１の燃焼検知を行う熱電対１１と、ガスの遮断を行う安全弁１２と、前記熱電対１１の熱起電力の状態から燃焼の有無を判別し、前記安全弁に電流を供給すると共に、火力調節レバー７に連係させた状態の前記電動駆動手段８を作動させる制御回路１０とを備えている。前記制御回路１０は、前記調理モード設定手段４にて予め設定された調理モードに対応して、前記温度検知手段３からの出力と当該制御温度との相関で前記電動駆動手段８を動作させるように構成してあり、また加熱制御手段２は前記電源スイッチ６にて電源５をＯＮし、器具を動作中に前記調理モード設定手段４の複数のキーを特定操作した場合、もしくは、前記調理モード設定手段４の複数の特定キーを押した状態で、前記電源スイッチ６にて電源５をＯＮすると、前記調理モード設定手段４にて予め設定された調理モードと異なった、特定動作、例えば定期的に前記火力調節レバー７が強弱の往復運動を繰り返す、また指定位置に一度のみ移動する等を行う構成としてある。
【００１６】
図２、図３は請求項１の一実施例のフローチャートであり、図２は、器具動作中に３つの特定キーが正しく入力されると特定動作を行う場合で、Ｓ１で電源スイッチがＯＮされたことが判断されるとＳ２へ進み、Ｓ２で安全弁をＯＮさせＳ３へ進み、Ｓ３で調理を開始しＳ４へ進み、Ｓ４で電源スイッチがＯＦＦかどうかを判断し、ＯＦＦならばＳ５へ進み、Ｓ５で安全弁をＯＦＦし、Ｓ６へ進み、Ｓ６で調理を終了する。
【００１７】
Ｓ４で電源スイッチがＯＦＦでなければ、Ｓ７へ進み、Ｓ７で特定動作モードかどうかを判断し、特定動作モードでなければＳ９へ進み、Ｓ９で調理を継続し、Ｓ１０へ進み、Ｓ１０でキー入力有りかどうかを判断し、キー入力がなければＳ４へ戻り、Ｓ４からの処理を繰り返す。Ｓ１０でキー入力有りならば、Ｓ１１へ進み、Ｓ１１で特定キー有りカウンタを１つアップ（初めてのキー入力なのでカウンタは０から１に変わる）し、Ｓ１２へ進み、Ｓ１２で特定キー有りカウンタが１かどうか判断し、特定キー有りカウンタが１ならばＳ１７へ進み、Ｓ１７で入力されたキーが特定キー１かどうか判断し、特定キー１でなければＳ１８へ進み、Ｓ１８で特定キー有りカウンタをクリア（ここでは１から０）し、Ｓ４へ戻り、Ｓ４からの処理を繰り返す。
【００１８】
Ｓ１７で入力されたキーが特定キー１ならば、Ｓ４へ戻り、Ｓ４からの処理を繰り返し、再びＳ１０でキー入力有りと判断されるとＳ１１へ進み、Ｓ１１で特定キー有りカウンタを１つアップ（１から２）し、Ｓ１２へ進み、Ｓ１２で特定キー有りカウンタが１でないと判断し、Ｓ１３へ進み、Ｓ１３で特定キー有りカウンタが２かどうか判断し、特定キー有りカウンタが２ならばＳ１４へ進み、Ｓ１４で入力されたキーが特定キー２かどうか判断し、特定キー２でなければＳ１８へ進み、Ｓ１８で特定キー有りカウンタをクリア（ここでは２から０）し、Ｓ４へ戻り、Ｓ４からの処理を繰り返す。
【００１９】
Ｓ１４で入力されたキーが特定キー２ならば、Ｓ４へ戻り、Ｓ４からの処理を繰り返し、みたびＳ１０でキー入力有りと判断されるとＳ１１へ進み、Ｓ１１で特定キー有りカウンタを１つアップ（２から３）し、Ｓ１２へ進み、Ｓ１２で特定キー有りカウンタが１でないと判断し、Ｓ１３へ進み、Ｓ１３で特定キー有りカウンタが２でないと判断し、Ｓ１５へ進み、Ｓ１５で入力されたキーが特定キー３かどうか判断し、特定キー３でなければＳ１８へ進み、Ｓ１８で特定キー有りカウンタをクリア（ここでは３から０）し、Ｓ４へ戻り、Ｓ４からの処理を繰り返す。
【００２０】
Ｓ１５で入力されたキーが特定キー３ならば、Ｓ１６へ進み、Ｓ１６で調理モードを特定動作モードに変更し、Ｓ４へ戻り、Ｓ４で電源スイッチがＯＦＦでなければ、Ｓ７へ進み、Ｓ７で特定動作モードと判断し、Ｓ８へ進み、Ｓ８で特定動作を実行し、Ｓ４へ戻り、Ｓ４で電源スイッチＯＦＦと判断されるまで、Ｓ４、Ｓ７、Ｓ８の処理を繰り返し、特定動作を実行する。
【００２１】
図３は、複数の特定キーが押された状態で電源スイッチがＯＮされると特定動作を行う場合で、Ｓ１９で電源スイッチがＯＮされたことが判断されるとＳ２０へ進み、Ｓ２０で安全弁をＯＮさせＳ２１へ進み、Ｓ２１でキー入力有りかどうかを判断し、キー入力がなければＳ２３へ進み、キー入力があればＳ２２へ進み、Ｓ２２で入力されたキーが複数の特定キーの組み合わせかどうか判断し、複数の特定キーの組み合わせでなければＳ２３へ進み、Ｓ２３で調理モードに設定し、Ｓ２４へ進み、Ｓ２４で調理を実行させ、Ｓ２５へ進み、Ｓ２５で電源スイッチがＯＦＦかどうかを判断し、ＯＦＦならばＳ２９へ進み、Ｓ２９で安全弁をＯＦＦし、Ｓ３０へ進み、Ｓ３０で調理を終了する。Ｓ２５で電源スイッチがＯＦＦでなければ、Ｓ２４へ戻り、Ｓ２４からの処理を繰り返し、Ｓ２５で電源スイッチがＯＦＦと判断されるまで調理を実行する。
【００２２】
Ｓ２２で入力されたキーが複数の特定キーの組み合わせならばＳ２６へ進み、Ｓ２６で特定動作モードに設定し、Ｓ２７へ進み、Ｓ２７で特定動作を実行し、Ｓ２８へ進み、Ｓ２８で電源スイッチがＯＦＦかどうかを判断し、ＯＦＦならばＳ２９へ進み、Ｓ２９で安全弁をＯＦＦし、Ｓ３０へ進み、Ｓ３０で特定動作を終了する。Ｓ２８で電源スイッチがＯＦＦでなければ、Ｓ２７へ戻り、Ｓ２７からの処理を繰り返し、Ｓ２８で電源スイッチＯＦＦと判断されるまで特定動作を実行する。
【００２３】
図４、図５は請求項４の一実施例のフローチャートであり、図４は、器具動作中に３つの特定キーが正しく入力され、熱電対起電力があれば特定動作を行う場合である。Ｓ３１で電源スイッチがＯＮされたことが判断されるとＳ３２へ進み、Ｓ３２で安全弁をＯＮさせＳ３３へ進み、Ｓ３３で調理を開始しＳ３４へ進み、Ｓ３４で電源スイッチがＯＦＦかどうかを判断し、ＯＦＦならばＳ３５へ進み、Ｓ３５で安全弁をＯＦＦし、Ｓ３６へ進み、Ｓ３６で調理を終了する。
【００２４】
Ｓ３４で電源スイッチがＯＦＦでなければ、Ｓ３７へ進み、Ｓ３７で熱電対起電力有りかどうかを判断し、熱電対起電力がなければＳ３５へ進み、Ｓ３５で安全弁をＯＦＦし、Ｓ３６へ進み、Ｓ３６で調理を終了する。Ｓ３７で熱電対起電力があれば、Ｓ３８へ進み、Ｓ３８で特定動作モードかどうかを判断し、特定動作モードでなければＳ４０へ進み、Ｓ４０で調理を継続し、Ｓ４１へ進み、Ｓ４１でキー入力有りかどうかを判断し、キー入力がなければＳ３４へ戻り、Ｓ３４からの処理を繰り返す。
【００２５】
Ｓ４１でキー入力有りならば、Ｓ４２へ進み、Ｓ４２で特定キー有りカウンタを１つアップ（初めてのキー入力なのでカウンタは０から１に変わる）し、Ｓ４３へ進み、Ｓ４３で特定キー有りカウンタが１かどうか判断し、特定キー有りカウンタが１ならばＳ４８へ進み、Ｓ４８で入力されたキーが特定キー１かどうか判断し、特定キー１でなければＳ４９へ進み、Ｓ４９で特定キー有りカウンタをクリア（ここでは１から０）し、Ｓ３４へ戻り、Ｓ３４からの処理を繰り返す。
【００２６】
Ｓ４８で入力されたキーが特定キー１ならば、Ｓ３４へ戻り、Ｓ３４からの処理を繰り返し、再びＳ４１でキー入力有りと判断されるとＳ４２へ進み、Ｓ４２で特定キー有りカウンタを１つアップ（１から２）し、Ｓ４３へ進み、Ｓ４３で特定キー有りカウンタが１でないと判断し、Ｓ４４へ進み、Ｓ４４で特定キー有りカウンタが２かどうか判断し、特定キー有りカウンタが２ならばＳ４５へ進み、Ｓ４５で入力されたキーが特定キー２かどうか判断し、特定キー２でなければＳ４９へ進み、Ｓ４９で特定キー有りカウンタをクリア（ここでは２から０）し、Ｓ３４へ戻り、Ｓ３４からの処理を繰り返す。
【００２７】
Ｓ４５で入力されたキーが特定キー２ならば、Ｓ３４へ戻り、Ｓ３４からの処理を繰り返し、みたびＳ４１でキー入力有りと判断されるとＳ４２へ進み、Ｓ４２で特定キー有りカウンタを１つアップ（２から３）し、Ｓ４３へ進み、Ｓ４３で特定キー有りカウンタが１でないと判断し、Ｓ４４へ進み、Ｓ４４で特定キー有りカウンタが２でないと判断し、Ｓ４６へ進み、Ｓ４６で入力されたキーが特定キー３かどうか判断し、特定キー３でなければＳ４９へ進み、Ｓ４９で特定キー有りカウンタをクリア（ここでは３から０）し、Ｓ３４へ戻り、Ｓ３４からの処理を繰り返す。Ｓ４６で入力されたキーが特定キー３ならば、Ｓ４７へ進み、Ｓ４７で調理モードを特定動作モードに変更し、Ｓ３４へ戻り、Ｓ３４で電源スイッチがＯＦＦでなければ、Ｓ３７へ進み、Ｓ３７で熱電対起電力有りならばＳ３８へ進み、Ｓ３８で特定動作モードと判断し、Ｓ３９へ進み、Ｓ３９で特定動作１を実行し、Ｓ３４へ戻り、Ｓ３４で電源スイッチＯＦＦまたは、Ｓ３７で熱電対起電力がないと判断されるまで、Ｓ３４、Ｓ３７、Ｓ３８、Ｓ３９の処理を繰り返し、特定動作１を実行する。
【００２８】
図５は、複数の特定キーが押された状態で電源スイッチがＯＮされると、熱電対起電力が有る間、特定動作を行う場合である。Ｓ５０で電源スイッチがＯＮされたことが判断されるとＳ５１へ進み、Ｓ５１で安全弁をＯＮさせＳ５２へ進み、Ｓ５２でキー入力有りかどうかを判断し、キー入力がなければＳ５４へ進み、キー入力があればＳ５３へ進み、Ｓ５３で入力されたキーが複数の特定キーの組み合わせかどうか判断し、複数の特定キーの組み合わせでなければＳ５４へ進み、Ｓ５４で調理モードに設定し、Ｓ５５へ進み、Ｓ５５で調理を実行させ、Ｓ５６へ進み、Ｓ５６で電源スイッチがＯＦＦかどうかを判断し、ＯＦＦならばＳ６２へ進み、Ｓ６２で安全弁をＯＦＦし、Ｓ６３へ進み、Ｓ６３で調理を終了する。
【００２９】
Ｓ５６で電源スイッチがＯＦＦでなければ、Ｓ５７へ進み、Ｓ５７で熱電対起電力有りかどうか判断し、熱電対起電力がなければＳ６２へ進み、Ｓ６２で安全弁をＯＦＦし、Ｓ６３へ進み、Ｓ６３で調理を終了する。Ｓ５７で熱電対起電力が有りならばＳ５５へ戻り、Ｓ５５からの処理を繰り返し、Ｓ５６で電源スイッチがＯＦＦまたはＳ５７で熱電対起電力がないと判断されるまで調理を実行する。
【００３０】
Ｓ５３で入力されたキーが複数の特定キーの組み合わせならばＳ５８へ進み、Ｓ５８で特定動作モードに設定し、Ｓ５９へ進み、Ｓ５９で特定動作１を実行し、Ｓ６０へ進み、Ｓ６０で電源スイッチがＯＦＦかどうかを判断し、ＯＦＦならばＳ６２へ進み、Ｓ６２で安全弁をＯＦＦし、Ｓ６３へ進み、Ｓ６３で特定動作１を終了する。Ｓ６０で電源スイッチがＯＦＦでなければ、Ｓ６１へ進み、Ｓ６１で熱電対起電力有りかどうか判断し、熱電対起電力がなければＳ６２へ進み、Ｓ６２で安全弁をＯＦＦし、Ｓ６３へ進み、Ｓ６３で特定動作１を終了する。Ｓ６１で熱電対起電力が有りならばＳ５９へ戻り、Ｓ５９からの処理を繰り返し、Ｓ６０で電源スイッチがＯＦＦまたはＳ６１で熱電対起電力がないと判断されるまで特定動作１を実行する。
【００３１】
図６、図７は請求項５の一実施例のフローチャートであり、図６は、器具動作中に３つの特定キーが正しく入力されると安全弁をＯＦＦさせたうえで特定動作を行う場合である。Ｓ６４で電源スイッチがＯＮされたことが判断されるとＳ６５へ進み、Ｓ６５で安全弁をＯＮさせＳ６６へ進み、Ｓ６６で調理を開始しＳ６７へ進み、Ｓ６７で電源スイッチがＯＦＦかどうかを判断し、ＯＦＦならばＳ６８へ進み、Ｓ６８で安全弁をＯＦＦし、Ｓ６９へ進み、Ｓ６９で調理を終了する。
【００３２】
Ｓ６７で電源スイッチがＯＦＦでなければ、Ｓ７０へ進み、Ｓ７０で特定動作モードかどうかを判断し、特定動作モードでなければＳ７２へ進み、Ｓ７２で熱電対起電力有りかどうかを判断し、熱電対起電力がなければＳ６８へ進み、Ｓ６８で安全弁をＯＦＦし、Ｓ６９へ進み、Ｓ６９で調理を終了する。Ｓ７２で熱電対起電力があればＳ７３へ進み、Ｓ７３で調理を継続し、Ｓ７４へ進み、Ｓ７４でキー入力有りかどうかを判断し、キー入力がなければＳ６７へ戻り、Ｓ６７からの処理を繰り返す。
【００３３】
Ｓ７４でキー入力有りならば、Ｓ７５へ進み、Ｓ７５で特定キー有りカウンタを１つアップ（初めてのキー入力なのでカウンタは０から１に変わる）し、Ｓ７６へ進み、Ｓ７６で特定キー有りカウンタが１かどうか判断し、特定キー有りカウンタが１ならばＳ８２へ進み、Ｓ８２で入力されたキーが特定キー１かどうか判断し、特定キー１でなければＳ８３へ進み、Ｓ８３で特定キー有りカウンタをクリア（ここでは１から０）し、Ｓ６７へ戻り、Ｓ６７からの処理を繰り返す。
【００３４】
Ｓ８２で入力されたキーが特定キー１ならば、Ｓ６７へ戻り、Ｓ６７からの処理を繰り返し、再びＳ７４でキー入力有りと判断されるとＳ７５へ進み、Ｓ７５で特定キー有りカウンタを１つアップ（１から２）し、Ｓ７６へ進み、Ｓ７６で特定キー有りカウンタが１でないと判断し、Ｓ７７へ進み、Ｓ７７で特定キー有りカウンタが２かどうか判断し、特定キー有りカウンタが２ならばＳ７８へ進み、Ｓ７８で入力されたキーが特定キー２かどうか判断し、特定キー２でなければＳ８３へ進み、Ｓ８３で特定キー有りカウンタをクリア（ここでは２から０）し、Ｓ６７へ戻り、Ｓ６７からの処理を繰り返す。
【００３５】
Ｓ７８で入力されたキーが特定キー２ならば、Ｓ６７へ戻り、Ｓ６７からの処理を繰り返し、みたびＳ７４でキー入力有りと判断されるとＳ７５へ進み、Ｓ７５で特定キー有りカウンタを１つアップ（２から３）し、Ｓ７６へ進み、Ｓ７６で特定キー有りカウンタが１でないと判断し、Ｓ７７へ進み、Ｓ７７で特定キー有りカウンタが２でないと判断し、Ｓ７９へ進み、Ｓ７９で入力されたキーが特定キー３かどうか判断し、特定キー３でなければＳ８３へ進み、Ｓ８３で特定キー有りカウンタをクリア（ここでは３から０）し、Ｓ６７へ戻り、Ｓ６７からの処理を繰り返す。
【００３６】
Ｓ７９で入力されたキーが特定キー３ならば、Ｓ８０へ進み、Ｓ８０で調理モードを特定動作モードに変更し、Ｓ８１へ進み、Ｓ８１で安全弁をＯＦＦし、Ｓ６７へ戻り、Ｓ６７で電源スイッチがＯＦＦでなければ、Ｓ７０へ進み、Ｓ７０で特定動作モードと判断し、Ｓ７１へ進み、Ｓ７１で特定動作２を実行し、Ｓ６７へ戻り、Ｓ６７で電源スイッチＯＦＦと判断されるまで、Ｓ６７、Ｓ７０、Ｓ７１、の処理を繰り返し、特定動作２を実行する。
【００３７】
図７は、複数の特定キーが押された状態で電源スイッチがＯＮされると、安全弁をＯＦＦしたうえで特定動作を行う場合である。Ｓ８４で電源スイッチがＯＮされたことが判断されるとＳ８５へ進み、Ｓ８５で安全弁をＯＮさせＳ８６へ進み、Ｓ８６でキー入力有りかどうかを判断し、キー入力がなければＳ８８へ進み、キー入力があればＳ８７へ進み、Ｓ８７で入力されたキーが複数の特定キーの組み合わせかどうか判断し、複数の特定キーの組み合わせでなければＳ８８へ進み、Ｓ８８で調理モードに設定し、Ｓ８９へ進み、Ｓ８９で調理を実行させ、Ｓ９０へ進み、Ｓ９０で電源スイッチがＯＦＦかどうかを判断し、ＯＦＦならばＳ９６へ進み、Ｓ９６で安全弁をＯＦＦし、Ｓ９７へ進み、Ｓ９７で調理を終了する。
【００３８】
Ｓ９０で電源スイッチがＯＦＦでなければ、Ｓ９１へ進み、Ｓ９１で熱電対起電力有りかどうか判断し、熱電対起電力がなければＳ９６へ進み、Ｓ９６で安全弁をＯＦＦし、Ｓ９７へ進み、Ｓ９７で調理を終了する。Ｓ９１で熱電対起電力有りならばＳ８９へ戻り、Ｓ８９からの処理を繰り返し、Ｓ９０で電源スイッチがＯＦＦまたはＳ９１で熱電対起電力がないと判断されるまで調理を実行する。
【００３９】
Ｓ８７で入力されたキーが複数の特定キーの組み合わせならばＳ９２へ進み、Ｓ９２で特定動作モードに設定し、Ｓ９３へ進み、Ｓ９３で安全弁をＯＦＦし、Ｓ９４へ進み、Ｓ９４で特定動作２を実行し、Ｓ９５へ進み、Ｓ９５で電源スイッチがＯＦＦかどうかを判断し、ＯＦＦならばＳ９６へ進み、Ｓ９６で安全弁をＯＦＦし、Ｓ９７へ進み、Ｓ９７で特定動作２を終了する。Ｓ９５で電源スイッチがＯＦＦでなければＳ９４へ戻り、Ｓ９４からの処理を繰り返し、Ｓ９５で電源スイッチがＯＦＦと判断されるまで特定動作２を実行する。
【００４０】
図８は請求項２、請求項３、請求項４、請求項５、請求項６の一実施例のガス調理器のマイコン処理の構成を示すブロック図であり、鍋を加熱する加熱手段１と、前記加熱手段１を制御する加熱制御手段２と、鍋の温度を検知する温度検知手段３と、調理モードを設定する調理モード設定手段４と、制御回路に電源を供給する乾電池１３と、乾電池収納部１４と、電源スイッチ６と、手動により火力調節を行う火力調節レバー７を有する。前記加熱制御手段２は、電動駆動手段８と、前記電動駆動手段８及び前記火力調節レバー７により駆動されて火力調節を行う流量調節手段９と、前記火力調節レバー７に連係させた状態の前記電動駆動手段８を作動させる制御回路１０と、前記加熱手段１の燃焼検知を行う熱電対１１と、ガスの遮断を行う安全弁１２を有する。前記制御回路１０は熱電対１１の熱起電力の状態から燃焼の有無を判別し、前記安全弁１２に電流を供給するようになっており、この制御回路１０は乾電池１３の電圧を計測する電圧検知部１５を備え、前記加熱制御手段２は、前記調理モード設定手段４にて予め設定された調理モードに対応して、前記温度検知手段３からの出力と当該制御温度との相関で前記電動駆動手段８を作動させる制御回路１０と、前記電圧検知部１５の測定電圧が、前記乾電池１３の電圧範囲から逸脱して高い電圧と判定した場合、前記調理モード設定手段４にて予め設定された調理モードと異なった、特定動作（定期的に前記火力調節レバーが強弱の往復運動を繰り返す、また指定位置に一度のみ移動する等）を行う加熱制御手段を有する構成となっている。
【００４１】
図９は請求項２の一実施例のフローチャートであり、乾電池電圧を逸脱する電源電圧があれば特定動作を行う場合で、Ｓ９８で電源スイッチがＯＮされたことが判断されるとＳ９９へ進み、Ｓ９９で安全弁をＯＮさせＳ１００へ進み、Ｓ１００で電源電圧が所定電圧より大きいかどうかを判断し、所定電圧より小さければＳ１０１へ進み、Ｓ１０１で調理モードに設定し、Ｓ１０２へ進み、Ｓ１０２で調理を実行させ、Ｓ１０３へ進み、Ｓ１０３で電源スイッチがＯＦＦかどうかを判断し、ＯＦＦならばＳ１０７へ進み、Ｓ１０７で安全弁をＯＦＦし、Ｓ１０８へ進み、Ｓ１０８で調理を終了する。
【００４２】
Ｓ１０３で電源スイッチがＯＦＦでなければ、Ｓ１０２戻り、Ｓ１０２からの処理を繰り返し、Ｓ１０３で電源スイッチがＯＦＦと判断されるまで調理を実行する。
【００４３】
Ｓ１００で電源電圧が所定電圧より大きければＳ１０４へ進み、Ｓ１０４で特定動作モードに設定し、Ｓ１０５へ進み、Ｓ１０５で特定動作３を実行し、Ｓ１０６へ進み、Ｓ１０６で電源スイッチがＯＦＦかどうかを判断し、ＯＦＦならばＳ１０７へ進み、Ｓ１０７で安全弁をＯＦＦし、Ｓ１０８へ進み、Ｓ１０８で特定動作３を終了する。Ｓ１０６で電源スイッチがＯＦＦでなければＳ１０５へ戻り、Ｓ１０５からの処理を繰り返し、Ｓ１０６で電源スイッチがＯＦＦと判断されるまで特定動作３を実行する。
【００４４】
図１０は請求項４の一実施例のフローチャートであり、乾電池電圧を逸脱する電源電圧があれば、熱電対起電力が有る間、特定動作を行う場合で、Ｓ１０９で電源スイッチがＯＮされたことが判断されるとＳ１１０へ進み、Ｓ１１０で安全弁をＯＮさせＳ１１１へ進み、Ｓ１１１で電源電圧が所定電圧より大きいかどうかを判断し、所定電圧より小さければＳ１１２へ進み、Ｓ１１２で調理モードに設定し、Ｓ１１３へ進み、Ｓ１１３で調理を実行させ、Ｓ１１４へ進み、Ｓ１１４で電源スイッチがＯＦＦかどうかを判断し、ＯＦＦならばＳ１２０へ進み、Ｓ１２０で安全弁をＯＦＦし、Ｓ１２１へ進み、Ｓ１２１で調理を終了する。
【００４５】
Ｓ１１４で電源スイッチがＯＦＦでなければ、Ｓ１１５へ進み、Ｓ１１５で熱電対起電力有りかどうか判断し、熱電対起電力がなければＳ１２０へ進み、Ｓ１２０で安全弁をＯＦＦし、Ｓ１２１へ進み、Ｓ１２１で調理を終了する。Ｓ１１５で熱電対起電力が有りならばＳ１１３へ戻り、Ｓ１１３からの処理を繰り返し、Ｓ１１４で電源スイッチがＯＦＦまたはＳ１１５で熱電対起電力がないと判断されるまで調理を実行する。
【００４６】
Ｓ１１１で電源電圧が所定電圧より大きければＳ１１６へ進み、Ｓ１１６で特定動作モードに設定し、Ｓ１１７へ進み、Ｓ１１７で特定動作４を実行し、Ｓ１１８へ進み、Ｓ１１８で電源スイッチがＯＦＦかどうかを判断し、ＯＦＦならばＳ１２０へ進み、Ｓ１２０で安全弁をＯＦＦし、Ｓ１２１へ進み、Ｓ１２１で特定動作４を終了する。Ｓ１１８で電源スイッチがＯＦＦでなければ、Ｓ１１９へ進み、Ｓ１１９で熱電対起電力有りかどうか判断し、熱電対起電力がなければＳ１２０へ進み、Ｓ１２０で安全弁をＯＦＦし、Ｓ１２１へ進み、Ｓ１２１で特定動作４を終了する。Ｓ１１９で熱電対起電力が有りならばＳ１１７へ戻り、Ｓ１１７からの処理を繰り返し、Ｓ１１８で電源スイッチがＯＦＦまたはＳ１１９で熱電対起電力がないと判断されるまで特定動作４を実行する。
【００４７】
図１１は請求項５の一実施例のフローチャートであり、乾電池電圧を逸脱する電源電圧があれば、安全弁をＯＦＦしたうえで特定動作を行う場合で、Ｓ１２２で電源スイッチがＯＮされたことが判断されるとＳ１２３へ進み、Ｓ１２３で安全弁をＯＮさせＳ１２４へ進み、Ｓ１２４で電源電圧が所定電圧より大きいかどうかを判断し、所定電圧より小さければＳ１２５へ進み、Ｓ１２５で調理モードに設定し、Ｓ１２６へ進み、Ｓ１２６で調理を実行させ、Ｓ１２７へ進み、Ｓ１２７で電源スイッチがＯＦＦかどうかを判断し、ＯＦＦならばＳ１３３へ進み、Ｓ１３３で安全弁をＯＦＦし、Ｓ１３４へ進み、Ｓ１３４で調理を終了する。
【００４８】
Ｓ１２７で電源スイッチがＯＦＦでなければ、Ｓ１２８へ進み、Ｓ１２８で熱電対起電力有りかどうか判断し、熱電対起電力がなければＳ１３３へ進み、Ｓ１３３で安全弁をＯＦＦし、Ｓ１３４へ進み、Ｓ１３４で調理を終了する。Ｓ１２８で熱電対起電力有りならばＳ１２６へ戻り、Ｓ１２６からの処理を繰り返し、Ｓ１２７で電源スイッチがＯＦＦまたはＳ１２８で熱電対起電力がないと判断されるまで調理を実行する。
【００４９】
Ｓ１２４で電源電圧が所定電圧より大きければＳ１２９へ進み、Ｓ１２９で特定動作モードに設定し、Ｓ１３０へ進み、Ｓ１３０で安全弁をＯＦＦし、Ｓ１３１へ進み、Ｓ１３１で特定動作５を実行し、Ｓ１３２へ進み、Ｓ１３２で電源スイッチがＯＦＦかどうかを判断し、ＯＦＦならばＳ１３３へ進み、Ｓ１３３で安全弁をＯＦＦし、Ｓ１３４へ進み、Ｓ１３４で特定動作５を終了する。Ｓ１３２で電源スイッチがＯＦＦでなければＳ１３１へ戻り、Ｓ１３１からの処理を繰り返し、Ｓ１３２で電源スイッチがＯＦＦと判断されるまで特定動作５を実行する。
【００５０】
図１２は請求項６の一実施例のフローチャートであり、乾電池電圧を逸脱する電源電圧があれば、１回だけ特定動作を行う場合で、Ｓ１３５で電源スイッチがＯＮされたことが判断されるとＳ１３６へ進み、Ｓ１３６で安全弁をＯＮさせＳ１３７へ進み、Ｓ１３７で電源電圧が所定電圧より大きいかどうかを判断し、所定電圧より小さければＳ１３８へ進み、Ｓ１３８で調理モードに設定し、Ｓ１３９へ進み、Ｓ１３９で調理を実行させ、Ｓ１４０へ進み、Ｓ１４０で電源スイッチがＯＦＦかどうかを判断し、ＯＦＦならばＳ１４６へ進み、Ｓ１４６で安全弁をＯＦＦし、Ｓ１４７へ進み、Ｓ１４７で調理を終了する。
【００５１】
Ｓ１４０で電源スイッチがＯＦＦでなければ、Ｓ１４１へ進み、Ｓ１４１で熱電対起電力有りかどうか判断し、熱電対起電力がなければＳ１４６へ進み、Ｓ１４６で安全弁をＯＦＦし、Ｓ１４７へ進み、Ｓ１４７で調理を終了する。Ｓ１４１で熱電対起電力が有りならばＳ１３９へ戻り、Ｓ１３９からの処理を繰り返し、Ｓ１４０で電源スイッチがＯＦＦまたはＳ１４１で熱電対起電力がないと判断されるまで調理を実行する。
【００５２】
Ｓ１３７で電源電圧が所定電圧より大きければＳ１４２へ進み、Ｓ１４２で特定動作モードに設定し、Ｓ１４３へ進み、Ｓ１４３で特定動作６を実行し、Ｓ１４４へ進み、Ｓ１４４で電源スイッチがＯＦＦかどうかを判断し、ＯＦＦならばＳ１４６へ進み、Ｓ１４６で安全弁をＯＦＦし、Ｓ１４７へ進み、Ｓ１４７で特定動作６を終了する。Ｓ１４４で電源スイッチがＯＦＦでなければ、Ｓ１４５へ進み、Ｓ１４５で熱電対起電力有りかどうか判断し、熱電対起電力がなければＳ１４６へ進み、Ｓ１４６で安全弁をＯＦＦし、Ｓ１４７へ進み、Ｓ１４７で特定動作６を終了する。Ｓ１４５で熱電対起電力が有りならばＳ１４４へ戻り、Ｓ１４４からの処理を繰り返し、Ｓ１４４で電源スイッチがＯＦＦまたはＳ１４５で熱電対起電力がないと判断されるまでＳ１４４、Ｓ１４５の処理を実行する。
【００５３】
【発明の効果】
以上のように本発明によれば、言葉では理解し難い説明を、実際の器具を使用して、実際にその部分の動作を見て頂く事ができるので、使用者に理解し易いという有利な効果が得られる。また、ガスの無い所でも示威動作を行う事ができるので、販売店店頭等でも説明する事ができ、アピール度向上という有利な効果が得られる。また、製造工程で示威動作を行う事により、製造検査の自動化ができるという有利な効果が得られる。
【図面の簡単な説明】
【図１】本発明の実施例１〜３のガス調理器のマイコン処理の構成を示すブロック図
【図２】本発明の実施例１のガス調理器のマイコン処理を示すフローチャート
【図３】同実施例１のガス調理器のマイコン処理を示すフローチャート
【図４】本発明の実施例２のガス調理器のマイコン処理を示すフローチャート
【図５】同実施例２のガス調理器のマイコン処理を示すフローチャート
【図６】本発明の実施例３のガス調理器のマイコン処理を示すフローチャート
【図７】同実施例３のガス調理器のマイコン処理を示すフローチャート
【図８】本発明の実施例４〜７のガス調理器のマイコン処理の構成を示すブロック図
【図９】本発明の実施例４のガス調理器のマイコン処理を示すフローチャート
【図１０】本発明の実施例５のガス調理器のマイコン処理を示すフローチャート
【図１１】本発明の実施例６のガス調理器のマイコン処理を示すフローチャート
【図１２】本発明の実施例７のガス調理器のマイコン処理を示すフローチャート
【図１３】従来のガス調理器の外観図
【図１４】従来のガス調理器の加熱制御部の概略図
【符号の説明】
１  加熱手段
２  加熱制御手段
３  温度検知手段
４  調理モード設定手段
５  電源
６  電源スイッチ
７  火力調節レバー
８  電動駆動手段
９  流量調節手段
１０  制御回路
１１  熱電対
１２  安全弁
１３  乾電池
１４  電池収納部
１５  電圧検知部
１６  コンロバーナ
１７  鍋底温度センサー
１８  電磁弁
１９  バイパスノズル
【図１】
0003873384.tif 000002
【図２】
0003873384.tif 000003
【図３】
0003873384.tif 000004
【図４】
0003873384.tif 000005
【図５】
0003873384.tif 000006
【図６】
0003873384.tif 000007
【図７】
0003873384.tif 000008
【図８】
0003873384.tif 000009
【図９】
0003873384.tif 000010
【図１０】
0003873384.tif 000011
【図１１】
0003873384.tif 000012
【図１２】
0003873384.tif 000013
【図１３】
0003873384.tif 000014
【図１４】
0003873384.tif 000015